(57)【要約】【課題】同時に複数のＢＭＬコンテンツをそれぞれ誤りなく動作させることを可能にしたＢＭＬデータ放送受信装置を提供する。【解決手段】同時に複数のＢＭＬコンテンツ３２−１，３２−２を動作させる場合、利用可否判別手段２１ｂによってシステムリソース４０のＧＲＥＧ４２及びＮＶＲＡＭ４３が既に一のＢＭＬコンテンツ３２−１の動作により利用否と判別された場合は、システムリソース４０のＧＲＥＧ４２及びＮＶＲＡＭ４３のコピーをＲＡＭ２３に作成し、この作成された前記システムリソース４０のＧＲＥＧ４２及びＮＶＲＡＭ４３のコピーを使用して、その余のＢＭＬコンテンツ３２−２を同時動作させる。【選択図】  図１
2004336537.tif 000002
【特許請求の範囲】
【請求項１】
複数のサービスそれぞれのＢＭＬコンテンツを同時受信可能なＢＭＬデータ放送受信装置であって、
複数のサービスそれぞれのＢＭＬコンテンツを同時受信する場合は、一のＢＭＬコンテンツをシステムリソースのＧＲＥＧ，ＮＶＲＡＭを使用して受信し、その余のＢＭＬコンテンツを前記システムリソースのＧＲＥＧ，ＮＶＲＡＭのコピーを作成し、当該作成したシステムリソースのＧＲＥＧ，ＮＶＲＡＭのコピーを使用して受信する同時受信制御手段
を備えていることを特徴とするＢＭＬデータ放送受信装置。
【請求項２】
前記同時受信制御手段は、
複数のＢＭＬデータ放送ブラウザと、
ＢＭＬコンテンツのユーザによる視聴開始を検出する視聴開始検出手段と、
該視聴開始検出手段によって、ＢＭＬコンテンツの視聴開始が検出された場合に、システムリソースのＧＲＥＧ，ＮＶＲＡＭが当該ＢＭＬコンテンツの視聴に利用できるか否かを判別する利用可否判別手段と、
該利用可否判別手段によって利用否と判別された場合は、前記システムリソースのＧＲＥＧ，ＮＶＲＡＭのコピーを作成する複製作成手段と、
前記利用可否判別手段によって利用否と判別された場合は、前記複数のＢＭＬデータ放送ブラウザの中の一のＢＭＬデータ放送ブラウザを起動させ、該複製作成手段によって作成された前記システムリソースのＧＲＥＧ，ＮＶＲＡＭのコピーを使用して、ＢＭＬコンテンツの視聴を制御開始する視聴制御手段と
を備えていることを特徴とする請求項１記載のＢＭＬデータ放送受信装置。
【請求項３】
前記視聴制御手段は、前記利用可否判別手段によって利用可と判別された場合は、前記複数のＢＭＬデータ放送ブラウザの中の別のＢＭＬデータ放送ブラウザを起動させ、システムリソースのＧＲＥＧ，ＮＶＲＡＭを使用して、ＢＭＬコンテンツの視聴を制御開始する
ことを特徴とする請求項２記載のＢＭＬデータ放送受信装置。
【請求項４】
前記利用可否判別手段は、システムリソースのＧＲＥＧ，ＮＶＲＡＭが前記視聴開始検出手段によって視聴開始が検出されたＢＭＬコンテンツとは別のＢＭＬコンテンツの視聴に使用されている場合は、利用できないと判別する
ことを特徴とする請求項２又は３記載のＢＭＬデータ放送受信装置。
【請求項５】
前記視聴制御手段は、前記複数のＢＭＬデータ放送ブラウザの中の一のＢＭＬデータ放送ブラウザを起動させ、該複製作成手段によって作成された前記システムリソースのＧＲＥＧ，ＮＶＲＡＭのコピーを使用して、ＢＭＬコンテンツの視聴を制御開始するときには、ワーニングメッセージを報知することを特徴とする請求項２〜４いずれかに記載のＢＭＬデータ放送受信装置。
【発明の詳細な説明】
【０００１】
【発明の属する技術分野】
本発明は、ＢＭＬデータ放送ブラウザを備えたデータ放送コンテンツを受信可能なテレビジョン受信機，セットトップボックス等に適用されるＢＭＬデータ放送受信装置に関する。
【０００２】
【従来の技術】
従来、ＸＭＬ（Ｅｘｔｅｎｓｉｂｌｅ  Ｍａｒｋｕｐ  Ｌａｎｇｕａｇｅ）を放送用に拡張した記述言語のＢＭＬ（Ｂｒｏａｄｃａｓｔ  Ｍａｒｋｕｐ  Ｌａｎｇｕａｇｅ）により記述されたプログラムを含むデータ放送コンテンツは、ＢＭＬデータ放送ブラウザを備えたテレビジョン受信機，セットトップボックス等のＢＭＬデータ放送受信装置によって受信可能である。
【０００３】
このＢＭＬデータ放送受信装置は、システムリソースとして、ＵＲＥＧ，ＧＲＥＧ，ＮＶＲＡＭ（Ｎｏｎ  Ｖｏｌａｔｉｌｅ  Ｒａｎｄｏｍ  Ａｃｃｅｓｓ  Ｍｅｍｏｒｙ）をそれぞれ１個ずつ備えている。
【０００４】
ＵＲＥＧは、特定のサービス（アナログ放送でいうチャンネルに相当する）を視聴中の間、有効なデータを保持するレジスタ（メモリ）である。ＵＲＥＧは、視聴を行うサービスの選局毎に初期化され、当該選局されたサービスの映像／音声からなる番組本編に多重化されているデータ放送コンテンツ（以下、これをＢＭＬコンテンツと称する）の複数のＢＭＬ文書間にまたがって共有するデータを主に記憶する。
【０００５】
また、ＧＲＥＧは、ＢＭＬデータ放送受信装置が起動した後は初期化されることがないレジスタ（メモリ）で、サービスの選局操作の前後にまたがって共有するデータを主に記憶する。ＧＲＥＧは、ＢＭＬデータ放送受信装置が起動中の間、有効なデータを保持することができる。
【０００６】
また、ＮＶＲＡＭは、不揮発性の読み出し書き込み可能なメモリで、例えば、各放送局が使用可能な共通領域と、それぞれの系列放送局のみが使用可能な専用領域とにその記憶領域が分かれている。ＮＶＲＡＭは、ＢＭＬデータ放送受信装置の起動／停止を問わず、有効なデータを保持しておくことができる。
【０００７】
その上で、ＢＭＬコンテンツは、システムリソースとしてのこれらＵＲＥＧ，ＧＲＥＧ，ＮＶＲＡＭがそれぞれ１個ずつＢＭＬデータ放送受信装置に備えられていることを前提として、これらＵＲＥＧ，ＧＲＥＧ，ＮＶＲＡＭに同時に自由にアクセスできる前提で作成されている。そして、このＢＭＬコンテンツの中、前述したＢＭＬによって記述されたプログラム部分が、ＢＭＬ文書である。
【０００８】
一方、従来、テレビジョン受信機には、複数のチャンネル（上記した複数のサービスそれぞれの番組本編に対応）を同時に受信して一の画面に同時表示できるマルチ画面表示機能を備えたものがある。
【０００９】
例えば、特開２００２−１７１４５７号公報には、複数の画像データを入力し、該画像データに対応する各画面を合成してマルチ画面表示を行うマルチ画面表示装置にあって、ＢＭＬデータ放送受信装置によって受信したデータ放送コンテンツの画面をそのマルチ画面表示の中の１画面に表示することが可能な装置が示されている。
【特許文献１】
特開２００２−１７１４５７号公報
【００１０】
【発明が解決しようとする課題】
しかしながら、従来のマルチ画面表示可能なテレビジョン受信機に適用されるＢＭＬデータ放送受信装置にあっては、同時に複数個のＢＭＬコンテンツが動作することが考慮されていないため、ＵＲＥＧ，ＧＲＥＧ，ＮＶＲＡＭといったシステムリソースがそれぞれ１個ずつしか備えられておらず、データ放送コンテンツに関しては、マルチ画面表示された複数サービス（複数チャンネル）の中、一のサービスのデータ放送コンテンツ、すなわち一のＢＬＭコンテンツのみしか表示することができなかった。
【００１１】
すなわち、従来のＢＭＬデータ放送受信装置は、２つ以上のＢＭＬデータ放送ブラウザがあっても、一のＢＭＬデータ放送ブラウザによる一のＢＭＬコンテンツに対しての動作中に、別のＢＭＬデータ放送ブラウザによる別のＢＭＬコンテンツに対しての動作が外部から入ると、一のＢＭＬデータ放送ブラウザによる一のＢＭＬコンテンツに対応したＵＲＥＧ，ＧＲＥＧ，ＮＶＲＡＭそれぞれの記憶内容が書き換わってしまう。この結果、従来のＢＭＬデータ放送受信装置では、同時に２つ以上のＢＭＬコンテンツがこれらＵＲＥＧ，ＧＲＥＧ，ＮＶＲＡＭにアクセスすると、それぞれのＢＭＬコンテンツが不正な動作をしてしまう可能性があった。
【００１２】
図３は、従来のマルチ画面表示可能なテレビジョン受信機に適用されているＢＭＬデータ放送受信装置を例に、同時に２つ以上のＢＭＬコンテンツがそのシステムリソースのＮＶＲＡＭにアクセスした場合の説明図である。
【００１３】
なお、この従来のＢＭＬデータ放送受信装置を備えたマルチ画面表示可能なテレビジョン受信機は、例えば、そのモニタ画面（ディスブレイ）の表示を中央で左右２つの領域に分割して、第１の選局サービスによる番組本編、及び第２の選局サービスによる番組本編を、並列的に同時に受像できる構成になっているものとする。
【００１４】
図３は、このテレビジョン受信機の左右に２分割された画面表示の中、第１のブラウザ３１−１によって左側に画面表示されている第１のＢＭＬコンテンツ３２−１のデータ‘ａｂｃ’をＮＶＲＡＭ４３に書き込み（ステップＳＡ０１）、その後、このＮＶＲＡＭ４３から前記ステップＳＡ０１で書き込んだこの第１のＢＭＬコンテンツ３２−１のデータ‘ａｂｃ’を読み出すまでの間に（ステップＳＡ０２）、第２のブラウザ３１−２によって右側に画面表示されている第２のＢＭＬコンテンツ３２−２のデータ‘ＸＹＺ’がこのＮＶＲＡＭ４３に書き込まれた（ステップＳＢ０１）場合を想定したものである。
【００１５】
この場合、ＮＶＲＡＭ４３では、その特定の領域Ａが、ステップＳＡ０１で、左側に画面表示されている第１のＢＭＬコンテンツ３２−１によってデータ‘ａｂｃ’に書き換えられた後に、ステップＳＢ０１で、右側に画面表示されている第２のＢＭＬコンテンツ３２−２によってデータ‘ＸＹＺ’に書き換えられてしまうことが起こる。この結果、その後に、第１のＢＭＬコンテンツ３２−１がＮＶＲＡＭ４３の領域Ａに自分が書き込んだデータ‘ａｂｃ’が保持されているものとしてその読み出しを行うと（ステップＳＡ０２）、実際には、第２のコンテンツ３２−１によって書き込まれたデータ‘ＸＹＺ’が読み出されることになってしまい、左側に画面表示されている第１のＢＭＬコンテンツ３２−１では、その後、意図しない動作を起こし、動作不良が生じることになる。
【００１６】
そこで、このようなＢＭＬコンテンツの動作不良を防ぐため、マルチ画面表示可能なテレビジョン受信機に適用されるＢＭＬデータ放送受信装置にあっては、ＵＲＥＧ，ＧＲＥＧ，ＮＶＲＡＭといったシステムリソースを、例えばマルチ画面表示される各画面に対応させて複数設け、同時に複数のＢＭＬコンテンツを動作可能にすることが考えられる。
【００１７】
しかしながら、このような構成にした場合は、ＢＭＬデータ放送受信装置が起動した後は初期化されることがなく、サービスの選局操作の前後にまたがったデータを共有するＧＲＥＧのデータ、各放送局が使用可能な共通領域とそれぞれの系列放送局のみが使用可能な専用領域とに分かれ、不揮発性の読み出し書き込み可能なメモリからなるＮＶＲＡＭのデータは、マルチ画面の各画面毎に対応して別々に存在することになってしまう。そのため、同じサービスのＢＬＭコンテンツであっても、例えばマルチ画面上における表示画面が変わると別々のＧＲＥＧ，ＮＶＲＡＭにデータが保存されることとなってしまい、これらデータを利用するための処理が却って煩雑になってしまう、等といった問題点が予想される。
【００１８】
本発明は、上記問題点に鑑みなされたものであって、マルチ画面表示機能を備えたテレビ受信機に適用可能なＢＭＬデータ放送受信装置であって、マルチ画面表示された複数の選局されたサービスそれぞれについて、同時に複数のＢＭＬコンテンツをそれぞれ誤りなく動作させることを可能にしたＢＭＬデータ放送受信装置を提供することを目的とする。
【００１９】
【課題を解決するための手段】
上記目的を達成するために、本発明のＢＭＬデータ放送受信装置は、複数のサービスそれぞれのＢＭＬコンテンツを同時受信可能なＢＭＬデータ放送受信装置であって、複数のサービスそれぞれのＢＭＬコンテンツを同時受信する場合は、一のＢＭＬコンテンツをシステムリソースのＧＲＥＧ，ＮＶＲＡＭを使用して受信し、その余のＢＭＬコンテンツを前記システムリソースのＧＲＥＧ，ＮＶＲＡＭのコピーを作成し、当該作成したシステムリソースのＧＲＥＧ，ＮＶＲＡＭのコピーを使用して受信する同時受信制御手段を備えていることを特徴とする。
【００２０】
また、本発明のＢＭＬデータ放送受信装置における前記同時受信制御手段は、複数のＢＭＬデータ放送ブラウザと、ＢＭＬコンテンツのユーザによる視聴開始を検出する視聴開始検出手段と、該視聴開始検出手段によって、ＢＭＬコンテンツの視聴開始が検出された場合に、システムリソースのＧＲＥＧ，ＮＶＲＡＭが当該ＢＭＬコンテンツの視聴に利用できるか否かを判別する利用可否判別手段と、該利用可否判別手段によって利用否と判別された場合は、前記システムリソースのＧＲＥＧ，ＮＶＲＡＭのコピーを作成する複製作成手段と、前記利用可否判別手段によって利用否と判別された場合は、前記複数のＢＭＬデータ放送ブラウザの中の一のＢＭＬデータ放送ブラウザを起動させ、該複製作成手段によって作成された前記システムリソースのＧＲＥＧ，ＮＶＲＡＭのコピーを使用して、ＢＭＬコンテンツの視聴を制御開始する視聴制御手段とを備えていることを特徴とする。
【００２１】
また、本発明のＢＭＬデータ放送受信装置における前記視聴制御手段は、前記利用可否判別手段によって利用可と判別された場合は、前記複数のＢＭＬデータ放送ブラウザの中の別のＢＭＬデータ放送ブラウザを起動させ、システムリソースのＧＲＥＧ，ＮＶＲＡＭを使用して、ＢＭＬコンテンツの視聴を制御開始することを特徴とする。
【００２２】
また、本発明のＢＭＬデータ放送受信装置における前記利用可否判別手段は、システムリソースのＧＲＥＧ，ＮＶＲＡＭが前記視聴開始検出手段によって視聴開始が検出されたＢＭＬコンテンツとは別のＢＭＬコンテンツの視聴に使用されている場合は、利用できないと判別することを特徴とする。
【００２３】
また、本発明のＢＭＬデータ放送受信装置における前記視聴制御手段は、前記複数のＢＭＬデータ放送ブラウザの中の一のＢＭＬデータ放送ブラウザを起動させ、該複製作成手段によって作成された前記システムリソースのＧＲＥＧ，ＮＶＲＡＭのコピーを使用して、ＢＭＬコンテンツの視聴を制御開始するときには、ワーニングメッセージを報知することを特徴とする。
これら本発明のＢＭＬデータ放送受信装置によれば、同時に複数のＢＭＬコンテンツをそれぞれ誤りなく動作させことができる。
【００２４】
【発明の実施の形態】
以下、添付図面を参照しながら本発明の好適な実施の形態について、図面とともに詳細に説明する。
図１は、本発明の一実施の形態によるＢＭＬデータ放送受信装置を適用したマルチ画面表示可能なテレビジョン受信機の構成図である。
テレビジョン受信機１は、アンテナ１１により放送衛星，通信衛星，地上波デジタル放送局等から送信されるデジタル放送信号を受信する。チューナ１２は、所望の選局サービス（選局チャンネル）に対応した受信信号をデコーダ１３に供給する。デコーダ１３は、チューナ１２から供給された受信信号を所定のフォーマットの信号にデコードし、映像／音声からなる番組本編の番組本編放送信号とＢＭＬデータ放送信号とが多重化されてなる多重化信号を復号し、デマルチプレクサ１４に供給する。デマルチプレクサ１４は、この多重化信号から番組本編放送信号とＢＭＬデータ放送信号と分離し、分離された番組本編放送信号を合成部５１に供給するとともに、分離されたＢＭＬデータ放送信号を後述の制御部２１に供給する。なお、ＢＭＬデータ放送信号は、放送衛星，通信衛星，地上波デジタル放送局等からカルーセル伝送方式で送信されている。
【００２５】
そして、本実施の形態のＢＭＬデータ放送受信装置が適用されるテレビジョン受信機１は、チューナ１２、デコーダ１３、及びデマルチプレクサ１４によって構成される受信部１０を複数備え、同時に所望の複数の選局サービス（複数の選局チャンネル）の番組本編及びＢＭＬコンテンツの受信ができる構成になっている。本実施の形態の場合は、チューナ１２−１、デコーダ１３−１、デマルチプレクサ１４−１によって構成される第１の受信部１０−１、チューナ１２−２、デコーダ１３−２、デマルチプレクサ１４−２によって構成される第２の受信部１０−２それぞれによって、同時に所望の２つの選局サービスが受信できる構成になっている。
【００２６】
その上で、合成部５１には、第１の受信部１０−１のデマルチプレクサ１４−１、第２の受信部１０−２のデマルチプレクサ１４−２それぞれからの番組本編放送信号の番組本編映像が供給されるとともに、後述の制御部２１から当該番組本編それぞれの選局サービスに対応したＢＭＬデータ放送のＢＭＬコンテンツ画面が供給される構成になっている。
【００２７】
これにより、合成部５１は、制御部２１からの制御信号に基づいて、これら番組本編やＢＭＬコンテンツの中のいずれか一をモニタ５３の画面に全域表示するための画面信号を生成したり、これら番組本編やＢＭＬコンテンツの中の適宜複数をモニタ５３の一の画面に同時表示するための画面信号を生成して、表示制御部５２に供給する構成になっている。そして、表示制御部５２は、この合成部５１から供給される画面信号に基づいて、モニタ（ディスブレイ）５３を駆動制御する構成になっている。
【００２８】
上述した構成によって、本実施の形態のＢＭＬデータ放送受信装置が適用されるテレビジョン受信機１にあっては、例えば、上記したモニタ５３のモニタ画面の表示を適宜複数の領域に分割して、第１の受信部１０−１による第１の選局サービスの番組本編又はＢＭＬコンテンツと、第２の受信部１０−２による第２の選局サービスの番組本編又はＢＭＬコンテンツとを、並列的に同時に受像できる構成になっている。
【００２９】
次に、制御部２１は、ＣＰＵ等によって構成され、制御部２１には、ＲＯＭ（Ｒｅａｄ  Ｏｎｌｙ  Ｍｅｍｏｒｙ）２２、ＲＡＭ（Ｒａｎｄｏｍ  Ａｃｃｅｓｓ  Ｍｅｍｏｒｙ）２３に加えて、ＢＭＬデータ放送ブラウザ３１、及びＵＲＥＧ４１，ＧＲＥＧ４２，ＮＶＲＡＭ４３といったＢＭＬデータ放送を受信するためのシステムリソース４０が備えられている。また、制御部２１には、放送局との双方向通信を行うためのモデム５４、図示せぬリモコンからユーザの操作信号を受信するためのリモコン受信部５５が備えられている。
【００３０】
そして、制御部２１は、マルチ画面表示可能なテレビジョン受信機１の制御部を構成するとともに、ＲＯＭ２２、ＲＡＭ２３、ＢＭＬデータ放送ブラウザ３１、及びＵＲＥＧ４１，ＧＲＥＧ４２，ＮＶＲＡＭ４３といったシステムリソース４０等とともに、ＢＭＬデータ放送受信装置２を構成する。
【００３１】
その上で、制御部２１は、リモコン受信部５５を介して入力されるリモコンの操作信号等に基づき、テレビジョン受信機１及びＢＭＬデータ放送受信装置２の各部の動作を制御する。なお、図１においては、テレビジョン受信機１の各部を制御するための信号線については、図示省略してある。
【００３２】
例えば、リモコンから、第１，２の受信部１０−１，１０−２それぞれによって同時に受信している選局サービス（チャンネル）それぞれについて、後述のモニタ５３の画面に同時表示できるマルチ画面表示機能がユーザによりリモコンで設定された場合は、制御部２１は、前述したように合成部５１を制御して、各選局サービスの番組本編がモニタ５３の画面に同時表示されるような映像表示信号を生成させる。
【００３３】
また、リモコンから、選局サービスそれぞれに対応させてデータ放送選択キーの操作信号が入力され、当該選局サービスの番組本編に代えてＢＭＬコンテンツの視聴が指示された場合は、制御部２１は、後述のＢＭＬデータ放送ブラウザ３１を作動させて、前述のデマルチプレクサ１４から供給されるＢＭＬデータ放送信号に基づき、当該サービス（当該チャンネル）のＢＭＬコンテンツのＢＭＬ文書に基づき、ＢＭＬコンテンツ画面の生成制御を行い、生成したＢＭＬコンテンツ画面を後述する合成部５１に供給する。さらに、制御部２１は、この生成したＢＭＬコンテンツ画面がモニタ５３に表示されるように合成部５１を作動制御する。
【００３４】
また、モニタ５３に表示されているＢＭＬコンテンツ画面の表示情報をもとに、リモコンからその情報利用のための方向キー、決定キー等といったＢＭＬコンテンツ操作キーの操作信号が入力された場合は、制御部２１は、モニタ５３に表示されているＢＭＬコンテンツ画面の更新等を行うとともに、必要に応じてモデム５４を介し、公衆通信回線又はインターネット等によって所定の送信先にデータを送信する。
【００３５】
そして、制御部２１は、上述したような、リモコンからのデータ放送選択キーやＢＭＬコンテンツ操作キーの操作信号に基づく、選局サービスに対応したＢＭＬコンテンツの受信制御の際には、ＢＭＬデータ放送ブラウザ３１によって当該ＢＭＬコンテンツのＢＭＬ文書にしたがって、システムリソース４０のＵＲＥＧ４１，ＧＲＥＧ４２，ＮＶＲＡＭ４３それぞれに対し、データの書き込みを行ったり、これらに書き込まれているデータの読み出しを行ったりする。
【００３６】
さらに、ＢＭＬデータ放送受信装置２では、同時に複数のＢＭＬコンテンツを動作させることができるように、制御部２１にはＢＭＬデータ放送ブラウザ３１が複数備えられ、本実施の形態の場合は、第１，第２のＢＭＬデータ放送ブラウザ３１−１，３１−２が備えられている。
【００３７】
そして、制御部２１は、リモコンによって前述したマルチ画面表示機能が設定され、前記第１，２の受信部１０−１，１０−２により複数の選局サービス（チャンネル）の受信が行われている状況で、これら選局サービスそれぞれについて上述したデータ放送選択操作やＢＭＬコンテンツ操作がなされた場合は、複数のＢＭＬデータ放送ブラウザ３１−１，３１−２それぞれをデータ放送選択操作がなされた選局サービスそれぞれに対応させて作動し、各選局サービスの受信信号毎に多重化されているＢＭＬデータ放送信号のＢＭＬコンテンツについて、その受信制御を行う。この際に、制御部２１が生成した選局サービス毎のＢＭＬコンテンツ画面は、合成部５１に対して供給され、制御部２１は、上述したデータ放送選択操作やＢＭＬコンテンツ操作に基づき、この生成した選局サービス毎のＢＭＬコンテンツ画面がモニタ５３に表示されるように合成部５１を作動制御する。
【００３８】
ＲＯＭ２２には、上述したような作動を制御部２１に実行させるための制御プログラムが格納されている。また、ＲＡＭ２３には、上述したような制御部２１の作動に関してのデータが一時保存される。
【００３９】
また、本実施の形態のＢＭＬデータ放送受信装置２では、上記システムリソース４０の中、ＵＲＥＧ４１については、複数のＢＭＬデータ放送ブラウザ３１−１，３１−２それぞれに対応させて複数ＵＲＥＧ４１−１，４１−２が設けられた構成になっている。これは、ＵＲＥＧ４１がサービスの選局毎に初期化され、一のＢＭＬコンテンツの複数のＢＭＬ文書間にまたがって共有するデータを主に記憶するレジスタであるためである。換言すれば、ＵＲＥＧ４１は、サービスの選局操作の前後にまたがって、又はＢＭＬデータ放送受信装置２の起動／停止の前後にまたがってデータを保存する必要がなく、そのデータ処理が従来技術の場合と変わらなく、煩雑にならないためである。
【００４０】
次に、このように構成されたマルチ画面表示可能なテレビジョン受信機１に適用されたＢＭＬデータ放送受信装置２において、ＢＭＬコンテンツの受信の際における、制御部２１によるシステムリソース４０に対するデータの書き込み、読み出しについて説明する。
【００４１】
まず、モニタ５３の画面に全域表示されている番組本編を提供するサービスに関して、又はモニタ５３の画面領域を分割して同時表示されている複数の番組本編の中の一方の番組本編を提供するサービスについてのみ、ユーザがリモコンのデータ放送選択キー又はＢＭＬコンテンツ操作キーを操作してそのＢＭＬコンテンツの受信やＢＭＬコンテンツ画面の更新が行われた場合に、制御部２１によってシステムリソース４０に書き込み、読み出しされるデータの例について説明する。
【００４２】
ＵＲＥＧ４１には、データ放送選択キーが操作されたサービスのＢＭＬコンテンツにおける複数のＢＭＬ文書間にまたがって共有するデータの書き込み、読み出しが、制御部２１によって行われる。そして、ＵＲＥＧ４１は、制御部２１によって、サービスの選局毎に初期化される。なお、説明にあたって、ＵＲＥＧ４１は、予めＵＲＥＧ［０］−ＵＲＥＧ［６３］の６４個の記憶エリアを備えているものとする。
【００４３】
例えば、ＢＭＬコンテンツにおいて、あるＢＭＬ文書‘１．ｂｍｌ’から別のＢＭＬ文書‘２．ｂｍｌ’に移り、この別のＢＭＬ文書‘２．ｂｍｌ’から元のＢＭＬ文書‘１．ｂｍｌ’に戻る必要が生じる場合、制御部２１は、ＵＲＥＧ４１を次のように利用する。
【００４４】
この場合、制御部２１は、予めＢＭＬ文書‘１．ｂｍｌ’から  ＢＭＬ文書‘２．ｂｍｌ’に移るときに、ＵＲＥＧ［ｎ］（なお、ｎは適宜定められた０〜６３のいずれか）に‘１．ｂｍｌ’をデータとして書き込んでおき、ＢＭＬ文書‘２．ｂｍｌ’からＢＭＬ文書‘１．ｂｍｌ’に戻る必要が生じたときには、ＵＲＥＧ［ｎ］の書き込んでおいたデータ‘１．ｂｍｌ’を読み出して、ＢＭＬ文書‘１．ｂｍｌ’に戻る処理を行う。
【００４５】
また、例えば、ＢＭＬコンテンツにおいて、複数のＢＭＬ文書‘２．ｂｍｌ’，‘３．ｂｍｌ’間にまたがって使用するデータ名が別のＢＭＬ文書‘１．ｂｍｌ’に記述されている場合、制御部２１は、ＵＲＥＧ４１を次のように利用する。
【００４６】
この場合、制御部２１は、複数のＢＭＬ文書‘２．ｂｍｌ’，‘３．ｂｍｌ’間にまたがって使用するデータ名が記述されているＢＭＬ文書‘１．ｂｍｌ’に係り、ＵＲＥＧ［ｎ］にこの‘１．ｂｍｌ’をデータとして書き込んでおく。その後、ＢＭＬ文書‘２．ｂｍｌ’，‘３．ｂｍｌ’に移った場合には、制御部２１は、先のＵＲＥＧ［ｎ］のデータ‘１．ｂｍｌ’を読み出し、そのＢＭＬ文書‘１．ｂｍｌ’に記述されたデータ名を使用してＢＭＬ文書‘２．ｂｍｌ’，‘３．ｂｍｌ’に基づくＢＭＬコンテンツ画面を生成する処理を行う。
【００４７】
ＧＲＥＧ４２には、データ放送選択キーが操作されたサービスについて、そのサービスの選局操作の前後にまたがって共有するデータの書き込み、読み出しが、制御部２１によって行われる。そして、ＧＲＥＧ４２は、テレビジョン受信機１すなわちＢＭＬデータ放送受信装置２が起動して制御部２１によって初期化された後は、ＢＭＬデータ放送受信装置２が停止するまで初期化されることがない。なお、説明にあたって、ＧＲＥＧ４２は、予めＧＲＥＧ［０］−ＧＲＥＧ［６３］の６４個の記憶エリアを備えているものとする。
このＧＲＥＧ４２には、制御部２１によって、例えば、サービスの選局切り替え後の自動遷移先ＢＭＬ文書名が書き込まれる。
【００４８】
具体的には、制御部２１は、ＧＲＥＧ４２を次のように利用する。
例えば、‘１０１  ＣＨ（ＢＳ１）’サービスのＢＭＬコンテンツで、その中のＢＭＬ文書によりＧＲＥＧ［ｎ］（なお、ｎは適宜定められた０〜６３のいずれか）に‘１０３ＣＨ：ｊｕｍｐ１．ｂｍｌ’の文字がデータとして書き込まれたものとする。その後、‘１０１  ＣＨ（ＢＳ１）’サービスのＢＭＬコンテンツにおける別のＢＭＬ文書から、スクリプトの選局用関数である‘ｅｐｇＴｕｎｅ（．．．）  ’により‘１０３ＣＨ（ＢＳ  Ｈｉ）’サービスのＢＭＬコンテンツが選局されたものとする。この場合、制御部２１による選局切り替え後の‘１０３ＣＨ（ＢＳ  Ｈｉ）’サービスのＢＭＬコンテンツにおけるＢＭＬ文書‘１．ｂｍｌ’のトップページ‘ｓｔａｒｔｕｐ．ｂｍｌ’に、ＧＲＥＧ［ｎ］に‘１０３ＣＨ：ＸＸＸＸ．ｂｍｌ’の文字列がデータとして書き込まれていれば、制御部２１は、これを確認し、書き込まれている場合には、‘１０３ＣＨ（ＢＳ  Ｈｉ）’サービスのＢＭＬ文書‘ＸＸＸＸ．ｂｍｌ’に自動で移動させることができる。
【００４９】
ＮＶＲＡＭ４３は、各放送局が使用可能な共通領域と、それぞれの系列放送局のみが使用可能な専用領域とにその記憶領域が分かれており、ＮＶＲＡＭ４３には、各放送局の会員登録情報、クイズなどの番組での取得ポイント情報、視聴回数の統計等といった、テレビジョン受信機１すなわちＢＭＬデータ放送受信装置２の起動／停止にかかわらず、その前後に亘って保存の必要なデータが制御部２１によって書き込まれる。
【００５０】
次に、本実施の形態のマルチ画面表示可能なテレビジョン受信機１に適用されるＢＭＬデータ放送受信装置２において、同時に複数のＢＭＬコンテンツをそれぞれ誤りなく動作させるための構成について説明する。
【００５１】
本実施の形態のＢＭＬデータ放送受信装置２における制御手段２１には、視聴開始検出手段２１ａと、利用可否判別手段２１ｂと、複製作成手段２１ｃと、視聴制御手段２１ｄと、視聴終了検出手段２１ｅとが備えられている。
【００５２】
視聴開始検出手段２１ａは、リモコン受信部５５を介して供給されるリモコンに設けられたデータ放送選択キーの操作信号等が入力される。視聴開始検出手段２１ａは、このデータ放送選択キーの操作信号の入力等に基づき、ユーザによる一のＢＭＬコンテンツの視聴開始を検出し、検出結果を利用可否判別手段２１ｂ及び視聴制御手段２１ｄに供給する。
【００５３】
利用可否判別手段２１ｂは、視聴開始検出手段２１ａからのユーザによる一のＢＭＬコンテンツの視聴開始の検出を受けて、一のＢＭＬコンテンツの視聴開始が検出された場合に、システムリソース４０のＧＲＥＧ４２，ＮＶＲＡＭ４３が別のＢＭＬコンテンツとの関係で、当該一のＢＭＬコンテンツの視聴に利用できるか否かを判別する。利用可否判別手段２１ｂは、その判別に当たって、本実施の形態の場合は、後述のＲＡＭ２３内に設けられた対応関係記憶部４４の記憶データに基づいてその判別を行う。利用可否判別手段２１ｂによる判別結果は、複製作成手段２１ｃと視聴制御手段２１ｄとに供給される。
【００５４】
複製作成手段２１ｃは、利用可否判別手段２１ｂから、システムリソース４０のＧＲＥＧ４２，ＮＶＲＡＭ４３が利用できない旨の判別結果が供給された場合は、ＲＡＭ２３内にシステムリソース４０のＧＲＥＧ４２，ＮＶＲＡＭ４３のコピーである複製ＧＲＥＧ４２−２，複製ＮＶＲＡＭ４３−２を作成する。なお、以下の説明においては、システムリソース４０のＧＲＥＧ４２，ＮＶＲＡＭ４３を、ＧＲＥＧ４２−１，ＮＶＲＡＭ４３−１として適宜表し、この複製ＧＲＥＧ４２−２，複製ＮＶＲＡＭ４３−２との対比明確化をはかる。
【００５５】
視聴制御手段２１ｄは、利用可否判別手段２１ｂからの判別結果に応じて、視聴開始検出手段２１ａによって視聴開始が検出された一のＢＭＬコンテンツの視聴制御を行う。視聴制御手段２１ｄは、利用可否判別手段２１ｂからの判別結果として、システムリソース４０のＧＲＥＧ４２−１，ＮＶＲＡＭ４３−１が利用できる旨の判別結果が供給されると、第１，２のＢＭＬデータ放送ブラウザ３１−１，３１−２の中、例えば第１のＢＭＬデータ放送ブラウザ３１−１を起動し、当該第１のＢＭＬデータ放送ブラウザ３１−１により、システムリソース４０のＧＲＥＧ４２−１，ＮＶＲＡＭ４３−１、及び第１，２のＵＲＥＧ４１−１，４１−２の中で例えば第１のＵＲＥＧ４１−１を使用して、この視聴開始が検出された一のＢＭＬコンテンツの視聴を制御開始する。
【００５６】
これに対して、視聴制御手段２１ｄは、利用可否判別手段２１ｂからの判別結果として、システムリソース４０のＧＲＥＧ４２−１，ＮＶＲＡＭ４３−１が利用できない旨の判別結果が供給されると、第１，２のＢＭＬデータ放送ブラウザ３１−１，３１−２の中、例えば第２のＢＭＬデータ放送ブラウザ３１−２を起動し、当該第２のＢＭＬデータ放送ブラウザ３１−２により、上述の複製作成手段２１ｃによってＲＡＭ２３内に作成された複製ＧＲＥＧ４２−２，複製ＮＶＲＡＭ４３−２、及び第１，２のＵＲＥＧ４１−１，４１−２の中で例えば第２のＵＲＥＧ４１−２を使用して、この視聴開始が検出された一のＢＭＬコンテンツの視聴を制御開始する。
【００５７】
さらに、視聴制御手段２１ｄは、上記において、ＲＡＭ２３内に作成された複製ＧＲＥＧ４２−２，複製ＮＶＲＡＭ４３−２を使用して視聴を制御開始する場合は、モニタ５３上にマルチ画面表示の中の一画面として表示されている当該一のＢＭＬコンテンツ画面の一部に、ＲＡＭ２３内に作成された複製ＧＲＥＧ４２−２，複製ＮＶＲＡＭ４３−２を使用した第２のＢＭＬデータ放送ブラウザ３１−２の起動による仮想モードで、当該ＢＭＬコンテンツが動作中であることを示すワーニングメッセージを表示する構成になっている。したがって、ユーザは、このＢＭＬコンテンツ画面の一部にワーニングメッセージが表示されているのを確認することによって、システムリソース４０のＮＶＲＡＭ４３−１には、当該ＢＭＬコンテンツに関してデータの書き込みは行われないことを確認することができる。
【００５８】
また、視聴制御手段２１ｄは、システムリソース４０のＧＲＥＧ４２−１及びＮＶＲＡＭ４３−１、又はＲＡＭ２３内に作成された複製ＧＲＥＧ４２−２及び複製ＮＶＲＡＭ４３−２のいずれか一方を使用して、ＢＭＬコンテンツの視聴を制御開始するに当たり、このＢＭＬコンテンツと、このＢＭＬコンテンツの視聴の際に使用する、システムリソース４０のＧＲＥＧ４２−１及びＮＶＲＡＭ４３−１、又はＲＡＭ２３内に作成された複製ＧＲＥＧ４２−２及び複製ＮＶＲＡＭ４３−２のいずれか一方との対応関係を、ＲＡＭ２３内に設けられた対応関係記憶部４４に記憶する。その際、対応関係記憶部４４には、このＢＭＬコンテンツの視聴の際に使用する、第１，２のＢＭＬデータ放送ブラウザ３１−１，３１−２の中の一方との対応関係、また第１，２のＵＲＥＧ４１−１，４１−２の中の一方との対応関係も、一緒に記憶する構成としてもよい。
【００５９】
そして、視聴制御手段２１ｄは、視聴を制御開始したＢＭＬコンテンツについてその視聴終了が検出された場合には、対応関係記憶部４４に記憶されている当該ＢＭＬコンテンツと、このＢＭＬコンテンツの視聴の際に使用する、システムリソース４０のＧＲＥＧ４２−１及びＮＶＲＡＭ４３−１、又はＲＡＭ２３内に作成された複製ＧＲＥＧ４２−２及び複製ＮＶＲＡＭ４３−２のいずれか一方との対応関係の記憶内容等はリセットされる。
【００６０】
したがって、本実施の形態の場合は、視聴制御手段２１ｄによって、対応関係記憶部４４における対応関係記憶がリセットされている状態時のシステムリソース４０のＧＲＥＧ４２−１，ＮＶＲＡＭ４３−１については、前述の利用可否判別手段２１ｂが利用可能と判別することができる。
【００６１】
なお、視聴を制御開始した一のＢＭＬコンテンツについてその視聴終了の検出は、例えば、視聴開始検出手段２１ａによる一のＢＭＬコンテンツの視聴開始と同様にして、制御部２１内に設けられた視聴終了検出手段２１ｅによって、リモコン受信部５５を介して供給されるリモコンに設けられたデータ放送選択キーの操作信号等に基づいて検出する構成になっている。
【００６２】
したがって、本実施の形態のマルチ画面表示可能なテレビジョン受信機１に適用されるＢＭＬデータ放送受信装置２は、同時に２つのＢＭＬコンテンツが動作中になった場合に、次のようにして、２つのＢＭＬコンテンツを同時に誤りなく動作させることができる。
【００６３】
図２は、本実施の形態のマルチ画面表示可能なテレビジョン受信機に適用されるＢＭＬデータ放送受信装置について、同時に２つのＢＭＬコンテンツが動作中になった場合に、この２つのＢＭＬコンテンツそれぞれのＮＶＲＡＭに対するアクセスの説明図である。
【００６４】
図２は、テレビジョン受信機１のモニタ５３の左右に２分割された画面表示の中、最初に左側に画面表示されている選局サービスに対応する第１のＢＭＬコンテンツ３２−１の視聴が行われ、次に右側に画面表示されている選局サービスに対応する第２のＢＭＬコンテンツ３２−２の視聴が行われる場合を想定し、制御部２１の各部２１ａ〜２１ｅの作動を説明したものである。
【００６５】
この場合、最初に左側に画面表示されている選局サービスに対応する第１のＢＭＬコンテンツ３２−１の視聴が操作されると、視聴開始検出手段２１ａはこれを検出し、利用可否判別手段２１ｂ及び視聴制御手段２１ｄに検出結果を供給する。
【００６６】
利用可否判別手段２１ｂは、視聴開始検出手段２１ａから第１のＢＭＬコンテンツ３２−１の視聴開始が検出された段階では、システムリソース４０のＧＲＥＧ４２−１，ＮＶＲＡＭ４３−１が別のＢＭＬコンテンツ（この場合、第２のＢＭＬコンテンツ３２−２）の視聴に利用されていないので、当該第１のＢＭＬコンテンツ３２−１の視聴に利用できる判別結果を、複製作成手段２１ｃと視聴制御手段２１ｄとに供給する。
これにより、複製作成手段２１ｃは、ＲＡＭ２３内に複製ＧＲＥＧ４２−２，複製ＮＶＲＡＭ４３−２を作成しない。
【００６７】
また、視聴制御手段２１ｄは、第１のＢＭＬデータ放送ブラウザ３１−１を起動し、システムリソース４０のＧＲＥＧ４２−１，ＮＶＲＡＭ４３−１、及び第１のＵＲＥＧ４１−１を使用して、第１のＢＭＬコンテンツ３２−１の視聴を制御開始する。
【００６８】
このとき併せて、視聴制御手段２１ｄにより、ＲＡＭ２３内の対応関係記憶部４４には、第１のＢＭＬコンテンツ３２−１，第１のＢＭＬデータ放送ブラウザ３１−１，第１のＵＲＥＧ４１−１，システムリソース４０のＧＲＥＧ４２−１，ＮＶＲＡＭ４３−１相互の対応関係が記憶される。
【００６９】
したがって、第１のＢＭＬコンテンツ３２−１のデータ‘ａｂｃ’をＮＶＲＡＭ４３の特定の領域Ａに書き込む場合、データ‘ａｂｃ’はシステムリソース４０のＮＶＲＡＭ４３−１における特定の領域Ａに書き込まれる（ステップＳＡ１１）。
【００７０】
その後、左側に画面表示されている選局サービスに対応する第２のＢＭＬコンテンツ３２−２の視聴が操作されると、視聴開始検出手段２１ａはこれを検出し、利用可否判別手段２１ｂ及び視聴制御手段２１ｄに検出結果を供給する。
【００７１】
利用可否判別手段２１ｂは、視聴開始検出手段２１ａから第２のＢＭＬコンテンツ３２−２の視聴開始が検出された段階では、ＲＡＭ２３内の対応関係記憶部４４の記憶内容に基づき、既に左側に画面表示されている選局サービスに対応する第１のＢＭＬコンテンツ３２−１の視聴が実行中であることから、当該第２のＢＭＬコンテンツ３２−２の視聴のためにシステムリソース４０のＧＲＥＧ４２−１，ＮＶＲＡＭ４３−１が利用できない判別結果を、複製作成手段２１ｃと視聴制御手段２１ｄとに供給する。
【００７２】
これにより、複製作成手段２１ｃは、ＲＡＭ２３内に複製ＧＲＥＧ４２−２，複製ＮＶＲＡＭ４３−２を作成する（ステップＳＢ０１）。
その上で、視聴制御手段２１ｄは、第２のＢＭＬデータ放送ブラウザ３１−２を起動し、このＲＡＭ２３内にコピーされた複製ＧＲＥＧ４２−２，複製ＮＶＲＡＭ４３−２、及び第２のＵＲＥＧ４１−２を使用して、第２のＢＭＬコンテンツ３２−１の視聴を制御開始する。
【００７３】
このとき併せて、視聴制御手段２１ｄにより、ＲＡＭ２３内の対応関係記憶部４４には、第２のＢＭＬコンテンツ３２−２，第２のＢＭＬデータ放送ブラウザ３１−２，第２のＵＲＥＧ４１−２，ＲＡＭ２３内の複製ＧＲＥＧ４２−２，複製ＮＶＲＡＭ４３−２相互の対応関係が新たに記憶される。
【００７４】
したがって、第２のＢＭＬコンテンツ３２−２のデータ‘ＸＹＺ’をＮＶＲＡＭ４３における特定の領域Ａに書き込む場合、データ‘ＸＹＺ’はＲＡＭ２３内の複製ＮＶＲＡＭ４３−２における特定の領域Ａに書き込まれる（ステップＳＢ０１）。
【００７５】
この結果、本実施の形態のＢＭＬデータ放送受信装置２にあっては、第２のＢＭＬコンテンツ３２−２が視聴動作された後、先に視聴された第１のＢＭＬコンテンツ３２−１がＮＶＲＡＭ４３の領域Ａに自分が書き込んだデータ‘ａｂｃ’が保持されているものとしてその読み出しを行っても（ステップＳＡ０２）システムリソース４０のＮＶＲＡＭ４３−１には、後から視聴された第２のコンテンツ３２−１によって上記データ‘ＸＹＺ’は書き込まれることはないので、左側に画面表示されている第１のＢＭＬコンテンツ３２−１では、その後、意図しない動作を起こし、動作不良が生じることもない。また、同様に、後から視聴された第２のコンテンツ３２−２も、先に視聴された第１のコンテンツ３２−１によるＮＶＲＡＭ４３のデータ書き込みによって動作不良を起こすこともない。
【００７６】
また、この場合、第２のＢＭＬコンテンツ３２−２のＢＭＬコンテンツ画面の一部には、ワーニングメッセージが表示されるから、ユーザは第２のＢＭＬコンテンツ３２−２に関しては、仮想モードで動作するため、システムリソース４０のＧＲＧ４２，ＮＶＲＡＭ４３に実際にはデータの書き込みが行われないことを、容易に確認することができる。
【００７７】
以上のように、本実施の形態のマルチ画面表示可能なテレビジョン受信機１に適用されるＢＭＬデータ放送受信装置２は構成されるが、本発明のＢＭＬデータ放送受信装置２の構成は、上述した構成にかぎるものではない。
【００７８】
例えば、本実施の形態のＢＭＬデータ放送受信装置２では、マルチ画面表示された２つのサービスそれぞれに対応するＢＭＬコンテンツを同時に動作させることが可能な構成となっているが、同時に動作させることが可能なＢＭＬコンテンツは２つに限るものではない。
【００７９】
また、各部の具体的構成についても、その機能を変更しない範囲で種々の変形例が可能である。例えば、本実施の形態では、ＵＲＥＧ４１は、予め第１のＵＲＥＧ４１−１及び第２のＵＲＥＧ４１−２を備える構成としたが、第２のＵＲＥＧ４１−２については、ＧＲＥＧ４２やＮＶＲＡＭ４３と同様に、ＲＡＭ２３内にコピーされて構成されるものでもよい。ワーニングメッセージは、音声により、または表示及び音声両方により、ユーザに報知する構成としてもよい。
【００８０】
【発明の効果】
以上のように、本発明のＢＭＬデータ放送受信装置によれば、次に述べる如くの効果を奏する。
マルチ画面表示機能を備えたテレビ受信機に適用された場合でも、マルチ画面表示された複数の選局されたサービスそれぞれについて、同時に複数のＢＭＬコンテンツをそれぞれ誤りなく動作させ、表示上も２つのＢＭＬコンテンツをそれぞれ破綻させることなく表示することができる。
【００８１】
その際も、同時に動作する一のＢＭＬコンテンツに対し、その余のＢＭＬコンテンツそれぞれについては、システムリソースのＧＲＥＧやＮＶＲＡＭのコピーを作成してそれを使用するだけで、実際のシステムリソースのＧＲＥＧやＮＶＲＡＭへのデータの書き込みは行わないので、容易に対応がはかれる。
【００８２】
実際のシステムリソースのＧＲＥＧやＮＶＲＡＭへのデータの書き込みは行われないＢＭＬコンテンツについては、当該ＢＭＬコンテンツの視聴と同時に、ワーニングメッセージがユーザに報知されるので、ユーザは容易かつ確実にその旨を確認することができる。
【００８３】
また、サービスの再選局動作を行って当該サービスのＢＭＬコンテンツの視聴するときには、実際のシステムリソースのＧＲＥＧやＮＶＲＡＭが別のＢＭＬコンテンツの視聴に利用されていなければ、当該サービスのＢＭＬコンテンツの視聴に優先して利用されるので、実際のシステムリソースのＧＲＥＧやＮＶＲＡＭを自動的に最大限活用することができる。
【図面の簡単な説明】
【図１】本発明の一実施の形態によるＢＭＬデータ放送受信装置を適用したマルチ画面表示可能なテレビジョン受信機の構成図である。
【図２】本実施の形態のマルチ画面表示可能なテレビジョン受信機に適用されるＢＭＬデータ放送受信装置について、同時に２つのＢＭＬコンテンツが動作中になった場合に、この２つのＢＭＬコンテンツそれぞれのＮＶＲＡＭに対するアクセスの説明図である。
【図３】従来のマルチ画面表示可能なテレビジョン受信機に適用されているＢＭＬデータ放送受信装置を例に、同時に２つ以上のＢＭＬコンテンツがそのシステムリソースのＮＶＲＡＭにアクセスした場合の説明図である。
【符号の説明】
１  テレビジョン受信機
２  ＢＭＬデータ放送受信装置
１０  受信部
１１  アンテナ
１２  チューナ
１３  デコーダ
１４  デマルチプレクサ
２１  制御部
２１ａ  視聴開始検出手段
２１ｂ  利用可否判別手段
２１ｃ  複製作成手段
２１ｄ  視聴制御手段
２１ｅ  視聴終了検出手段
２２  ＲＯＭ
２３  ＲＡＭ
３１  ＢＭＬデータ放送ブラウザ
３２  ＢＭＬコンテンツ
４０  システムリソース
４１  ＵＲＥＧ
４２  ＧＲＥＧ
４３  ＮＶＲＡＭ
５１  合成部
５２  表示制御部
５３  モニタ
【図１】
2004336537.tif 000003
【図２】
2004336537.tif 000004
【図３】
2004336537.tif 000005